(57)【要約】【課題】電波時計や時計機能を付加的に備えた移動通信端末において、使用者によって、意図的に現在時刻からのずれ時間があるオフセット時刻を表示している場合、現在時刻がアラームを出力すべき時刻になったとき、アラームを出力できることを目的とする。【解決手段】現在時刻を計時する計時部と、使用者が入力を行う操作部と、前記操作部から入力された差分時間を記憶する差分時間記憶部と、前記差分時間を前記現在時刻に加算して得られるオフセット時刻を算出するオフセット時刻算出部と、前記オフセット時刻を表示する時刻表示部と、前記操作部から入力されたアラーム時刻を記憶するアラーム時刻記憶部と、アラームの出力を制御するアラーム制御部と、前記現在時刻が前記アラーム時刻と一致するか否かを判定し、一致する場合は、前記アラーム制御部に、前記アラームの出力を指示するアラーム時刻判定部と、を備えた電子機器を提供する。【選択図】図１
2009063338.tif 000002
【特許請求の範囲】
【請求項１】
現在時刻を計時する計時部と、
使用者が入力を行う操作部と、
前記操作部から入力された差分時間を記憶する差分時間記憶部と、
前記差分時間を前記現在時刻に加算することによりオフセット時刻を算出するオフセット時刻算出部と、
前記オフセット時刻を表示する時刻表示部と、
前記操作部から入力されたアラーム時刻を記憶するアラーム時刻記憶部と、
アラームの出力を制御するアラーム制御部と、
前記現在時刻が前記アラーム時刻と一致するか否かを判定する現在時刻判定モードを有し、前記現在時刻が前記アラーム時刻と一致する場合は、前記アラーム制御部に、前記アラームの出力を指示するアラーム時刻判定部と、を備えたことを特徴とする電子機器。
【請求項２】
請求項１に記載の電子機器であって、
前記アラーム時刻判定部は、前記オフセット時刻が前記アラーム時刻と一致するか否かを判定するオフセット時刻判定モードを有し、前記オフセット時刻が前記アラーム時刻と一致する場合は、前記アラーム制御部に、前記アラームの出力を指示することを特徴とする電子機器。
【請求項３】
請求項２に記載の電子機器であって、
前記アラーム時刻判定部は、前記操作部から入力された情報によって、前記現在時刻判定モードと前記オフセット時刻判定モードのうち、少なくとも一つのモードを選択することを特徴とする電子機器。
【請求項４】
請求項２または請求項３に記載の電子機器であって、
前記現在時刻判定モードにおける前記アラームの出力形態と、前記オフセット時刻判定モードにおける前記アラームの出力形態とは、異なることを特徴とする電子機器。
【請求項５】
請求項１から請求項４までのいずれか一項に記載の電子機器であって、
標準時刻を示す時刻情報を含み、所定の通信方式により符号化された信号を受信して復元することにより、前記時刻情報を取得する受信部と、
前記時刻情報に基づき、前記現在時刻を前記標準時刻に一致させて補正する現在時刻補正部と、を備えたことを特徴とする電子機器。
【請求項６】
請求項５に記載の電子機器であって、
前記通信方式はＣＤＭＡ方式であることを特徴とする電子機器。
【請求項７】
請求項１から請求項４までのいずれか一項に記載の電子機器を備えていることを特徴とする電子時計。
【請求項８】
請求項５または請求項６に記載の電子機器を備えていることを特徴とする電波時計。
【請求項９】
請求項１から請求項６までのいずれか一項に記載の電子機器を備えていることを特徴とする携帯電話。
【請求項１０】
現在時刻を計時する計時工程と、
使用者が入力を行う操作工程と、
前記操作工程から入力された差分時間を記憶する差分時間記憶工程と、
前記差分時間を前記現在時刻に加算することによりオフセット時刻を算出するオフセット時刻算出工程と、
前記オフセット時刻を表示する時刻表示工程と、
前記操作工程から入力されたアラーム時刻を記憶するアラーム時刻記憶工程と、
アラームの出力を制御するアラーム制御工程と、
前記現在時刻が前記アラーム時刻と一致するか否かを判定する現在時刻判定モードを有し、前記現在時刻が前記アラーム時刻と一致する場合は、前記アラーム制御工程に、前記アラームの出力を指示するアラーム時刻判定工程と、を備えたことを特徴とする電子機器の制御方法。
【発明の詳細な説明】
【技術分野】
【０００１】
本発明は、電子時計、電波時計、時計機能を有する電子機器及び制御方法に関する。
【背景技術】
【０００２】
使用者が意図的に現在時刻からずらした時刻を、オフセット時刻として、電子時計に表示させる場合がある。このように、現在時刻とのずれ時間があるオフセット時刻を表示させる使い方は、電子時計に限らず、時計機能を付加的に備えた携帯電話などの移動通信端末においても行われる。このように、電子時計や移動通信端末などが、現在時刻からずれたオフセット時刻を表示しているとき、使用者によって、音声などのアラームを出力すべき時刻が設定されると、使用者が意図的に現在時刻からずらした時間だけ、現在時刻からずれたオフセット時刻に、アラームを出力する。
このような使い方をしているとき、現在時刻を計時している時刻を補正してしまうと、使用者が意図した現在時刻とのずれ時間が確保されず、使用者が意図的に現在時刻からずらしたオフセット時刻にアラームを出力しなくなってしまう。そこで、例えば、特許文献１のように、現在時刻との差分時間を記憶する手段を備えることにより、使用者が意図したずれ時間を確保しながら、時刻を補正する携帯電話などの移動通信端末が提案されている。
【０００３】
【特許文献１】特許第３２２５９１５号明細書
【発明の開示】
【発明が解決しようとする課題】
【０００４】
しかしながら、使用者は、現在時刻がアラームを出力すべき時刻になった時点で、アラームを出力したい場合がある。従来の技術では、使用者が意図的に現在時刻からずらしたオフセット時刻に、アラームを出力することができるが、現在時刻がアラームを出力すべき時刻になったときにアラームを出力することができない。
本発明は、電子時計や時計機能を付加的に備えた電子機器において、使用者によって、意図的に現在時刻からのずれ時間があるオフセット時刻を表示している場合、現在時刻がアラームを出力すべき時刻になったときに、アラームを出力できることを目的とする。
【課題を解決するための手段】
【０００５】
［適用例１］現在時刻を計時する計時部と、使用者が入力を行う操作部と、前記操作部から入力された差分時間を記憶する差分時間記憶部と、前記差分時間を前記現在時刻に加算することによりオフセット時刻を算出するオフセット時刻算出部と、前記オフセット時刻を表示する時刻表示部と、前記操作部から入力されたアラーム時刻を記憶するアラーム時刻記憶部と、アラームの出力を制御するアラーム制御部と、前記現在時刻が前記アラーム時刻と一致するか否かを判定する現在時刻判定モードを有し、前記現在時刻が前記アラーム時刻と一致する場合は、前記アラーム制御部に、前記アラームの出力を指示するアラーム時刻判定部と、を備えたことを特徴とする電子機器。
【０００６】
この構成によれば、操作部から入力された差分時間を現在時刻に加算して得られる時刻を、オフセット時刻として表示することにより、使用者が意図した差分時間だけ現在時刻からずれた時刻を表示することができる。更に、計時される現在時刻がアラーム時刻と一致するか否かを判定し、一致する場合は、アラーム制御部に、アラームの出力を指示することにより、現在時刻が、アラームを出力すべき時刻になったときに、アラームを出力することができる。
【０００７】
［適用例２］前記アラーム時刻判定部は、前記オフセット時刻が前記アラーム時刻と一致するか否かを判定するオフセット時刻判定モードを有し、前記オフセット時刻が前記アラーム時刻と一致する場合は、前記アラーム制御部に、前記アラームの出力を指示することを特徴とする上記記載の電子機器。
【０００８】
この構成によれば、アラーム時刻判定部が、オフセット時刻がアラーム時刻と一致するか否かを判定し、一致する場合は、アラーム制御部に、アラームの出力を指示することにより、使用者が意図した現在時刻からのずれ時間が確保され、意図した現在時刻からのずれ時間を有するオフセット時刻になったときに、アラームを出力できる。
【０００９】
［適用例３］前記アラーム時刻判定部は、前記操作部から入力された情報によって、前記現在時刻判定モードと前記オフセット時刻判定モードのうち、少なくとも一つのモードを選択することを特徴とする上記記載の電子機器。
【００１０】
この構成によれば、現在時刻がアラーム時刻となった時刻か、オフセット時刻がアラーム時刻になった時刻のうち、少なくとも一つの時刻に、アラームを出力することができる。
【００１１】
［適用例４］前記現在時刻判定モードにおける前記アラームの出力形態と、前記オフセット時刻判定モードにおける前記アラームの出力形態とは、異なることを特徴とする上記記載の電子機器。
【００１２】
この構成によれば、現在時刻がアラーム時刻となった時刻であるか、オフセット時刻がアラーム時刻になった時刻であるかを、使用者が区別して認識することができる。
【００１３】
［適用例５］標準時刻を示す時刻情報を含み、所定の通信方式により符号化された信号を受信して復元することにより、前記時刻情報を取得する受信部と、前記時刻情報に基づき、前記現在時刻を前記標準時刻に一致させて補正する現在時刻補正部と、を備えたことを特徴とする上記記載の電子機器。
【００１４】
この構成によれば、現在時刻補正部が、受信部によって取得した、標準時刻を示す時刻情報に基づき、計時部によって計時された現在時刻を標準時刻に一致させることにより、標準時刻と一致精度が高い現在時刻を計時することができる。これにより、現在時刻判定モードにおいて、アラームを出力する時刻は、標準時刻との一致精度が高くなる。また、
オフセット時刻判定モードにおいて、アラームを出力する時刻は、標準時刻から使用者の意図する差分時間だけずらした理想のオフセット時刻との一致精度が高くなる。
【００１５】
［適用例６］前記通信方式はＣＤＭＡ方式であることを特徴とする上記記載の電子機器。
この構成によれば、ＣＤＭＡ方式によって送信する基地局からの電波から、標準時刻情報を示す時刻情報を受信できるので、標準時刻との一致精度が高い現在時刻を計時することができる。これにより、現在時刻判定モードにおいて、アラームを出力する時刻は、標準時刻との一致精度が高くなる。また、オフセット時刻判定モードにおいて、アラームを出力する時刻は、標準時刻から使用者の意図する差分時間だけずらした理想のオフセット時刻との一致精度が高くなる。更に、基地局が広い範囲に多く設置されており、受信できる機会が増えるので、現在時刻を補正する機会も多くなり、電波時計や移動通信端末の移動範囲が広くなっても、標準時刻に一致する精度の高い現在時刻を計時することができる。
【００１６】
［適用例７］上記記載の電子機器を備えていることを特徴とする電子時計。
この構成によれば、使用者が意図した差分時間だけ現在時刻からずれた時刻を表示している場合、現在時刻が、アラームを出力すべき時刻になったときに、アラームを出力する電子時計を提供することができる。
【００１７】
［適用例８］上記記載の電子機器を備えていることを特徴とする電波時計。
この構成によれば、標準時刻情報を示す時刻情報を受信できるので、標準時刻との一致精度が高い現在時刻にアラームを出力できる電波時計を提供できる。
【００１８】
［適用例９］上記記載の電子機器を備えていることを特徴とする携帯電話。
この構成によれば、使用者が意図した差分時間だけ現在時刻からずれた時刻を表示している場合、現在時刻が、アラームを出力すべき時刻になったときに、アラームを出力する携帯電話を提供することができる。また、標準時刻情報を示す時刻情報を受信できるので、標準時刻との一致精度が高い現在時刻にアラームを出力できる携帯電話を提供できる。
【００１９】
［適用例１０］本発明を制御方法として捉えることもできる。すなわち、現在時刻を計時する計時工程と、使用者が入力を行う操作工程と、前記操作工程から入力された差分時間を記憶する差分時間記憶工程と、前記差分時間を前記現在時刻に加算することによりオフセット時刻を算出するオフセット時刻算出工程と、前記オフセット時刻を表示する時刻表示工程と、前記操作工程から入力されたアラーム時刻を記憶するアラーム時刻記憶工程と、アラームの出力を制御するアラーム制御工程と、前記現在時刻が前記アラーム時刻と一致するか否かを判定する現在時刻判定モードを有し、前記現在時刻が前記アラーム時刻と一致する場合は、前記アラーム制御工程に、前記アラームの出力を指示するアラーム時刻判定工程と、を備えたことを特徴とする電子機器の制御方法。
【発明を実施するための最良の形態】
【００２０】
以下、本発明を具体化した第１実施例について図面に従って説明する。
（第１実施例）
第１実施例では、現在時刻がアラーム時刻と一致するか否かを判定する現在時刻判定モードを有し、現在時刻がアラーム時刻と一致する場合は、アラームを出力する場合について説明する。
【００２１】
図１は、第１実施例における電子時計１の機能構成を示すブロック図である。この電子時計１は、所謂、デジタル式クオーツ腕時計の様態であり、水晶振動子の周波数に基づいて時刻を算出して現在の時刻を指針により表示する機能を備えている。この電子時計１は、計時部１３と、操作部１４と、制御部２２と、時刻表示部１９と、アラーム制御部２０と、アラーム出力部２１とを備える。
【００２２】
操作部１４は、電子時計１の使用者により操作され、使用者が所望する機能を動作させることができる。この操作部１４で操作された情報は、制御部２２に送られる。このような操作部１４は、本実施例では、電子時計１の外装ケース等に設けられた操作ボタン（図示省略）を想定する。
【００２３】
計時部１３は、基準となるパルス信号を生成する発振部（図示省略）を備える。本実施例での発振部は、図示を略した３２ｋＨｚの水晶振動子、発振回路及び分周回路等を含み、１秒毎にパルス信号を生成する。発振部は、発振部によって生成されたパルス信号を算出して、現在の時刻を計時する。計時された時刻は、現在時刻として制御部２２に送られる。
【００２４】
使用者が操作部１４に備えた操作ボタンを操作し、計時部１３によって計時される現在時刻を、ラジオやテレビなどから報じられる標準時刻に基づく時報などに一致させることによって、計時部１３は、標準時刻に近似される時刻を計時させることができる。
【００２５】
時刻表示部１９は、制御部２２から送られる時刻データに従い、液晶によるデジタル表示によって時刻（時、分）を表示する。
【００２６】
アラーム制御部２０は、制御部２２から出力される信号によって、音声、振動、メロディなどのアラームを出力するアラーム出力部２１の出力動作を制御する。
【００２７】
制御部２２は、差分時間記憶部１５、オフセット時刻算出部１６、アラーム時刻判定部１７及びアラーム時刻記憶部１８を備える。尚、制御部２２を構成する各機能部は、図示を略したＣＰＵやＲＡＭ等からなるハードウェア資源と、ソフトウェアとが有機的に協働することにより、それぞれの機能を実現しても良い。
【００２８】
差分時間記憶部１５には、使用者が意図した、現在時刻からのずれ時間である差分時間が、操作部１４に備えた操作ボタンを使用者が入力することによって、記憶される。
【００２９】
オフセット時刻算出部１６は、計時部１３によって計時された現在時刻と、差分時間記憶部１５に記憶された差分時間を取得し、現在時刻に差分時間を加算することによって得られるオフセット時刻を算出する。
【００３０】
時刻表示部１９は、オフセット時刻算出部１６が算出したオフセット時刻を取得し、電子時計１の表示部に表示させる。
【００３１】
アラーム時刻記憶部１８は、使用者が意図した、アラームを出力させようとするアラーム時刻が、操作部１４に備えた操作ボタンを使用者が入力することによって、記憶される。
【００３２】
アラーム時刻判定部１７は、計時部１３から取得した現在時刻と、アラーム時刻記憶部１８から取得したアラーム時刻とを比較する現在時刻判定モードを有する。現在時刻判定モードにおいて、現在時刻がアラーム時刻に一致すると、アラーム制御部２０にアラームの出力を指示する信号を出力する。
【００３３】
次に、電子時計１が、アラームを出力するまでの処理について説明する。
【００３４】
本実施例では、使用者が意図した標準時刻からのずれ時間である差分時間は、５分であるとし、差分時間記憶部１５に記憶されているものとする。尚、差分時間の符号がプラスであるときは、オフセット時刻は現在時刻より進んでいることを示し、差分時間の符号がマイナスであるときは、オフセット時刻は現在時刻より遅れていることを示す。また、使用者が意図したアラームを出力させようとするアラーム時刻は、１２時３０分であるとし、アラーム時刻記憶部１８に記憶されているものとする。
【００３５】
図２は、第１実施例において、オフセット時刻を表示するまでの処理について説明する図である。図２に記載されたフローチャートに従って、図１のブロック図を参照しながら処理の流れを説明する。図２の図面上向きの矢印は、前のステップにおける時刻と同じであることを示す。
【００３６】
ステップＳ３２では、オフセット時刻算出部１６は、計時部１３から取得した現在時刻１２時００分に、差分時間記憶部１５から取得した差分時間５分を加算することにより、オフセット時刻１２時０５分を算出する。
【００３７】
ステップＳ３３では、時刻表示部１９は、オフセット時刻算出部１６が算出したオフセット時刻１２時０５分を表示する。
【００３８】
図３は、アラーム時刻判定部１７が処理するフローチャートを示す。ステップＳ４０では、現在時刻がアラームを出力しようとするアラーム時刻と一致するか否かを判定する。一致する場合（Ｙｅｓ）は、検出信号Ａをアラーム制御部２０に出力する（ステップＳ４１）。一致しない場合（Ｎｏ）は、処理を終了する。
【００３９】
図４は、図３で説明したアラーム時刻判定部１７が出力する検出信号の有無について、現在時刻の各ケースについて説明する図である。差分時間記憶部１５に記憶された差分時間は５分であり、アラーム時刻記憶部１８に記憶されたアラーム時刻は１２時３０分である。
【００４０】
ケース１では、現在時刻は１２時００分であるので、オフセット時刻算出部１６によってオフセット時刻は１２時０５分が算出され、時刻表示部１９によって表示される時刻は１２時０５分となる。同様に、ケース２では、現在時刻は１２時２５分であるので、オフオフセット時刻は１２時３０分が算出され、表示される時刻は１２時３０分となる。ケース３では、現在時刻は１２時３０分であるので、オフオフセット時刻は１２時３５分が算出され、表示される時刻は１２時３５分となる。
【００４１】
ケース１及びケース２では、現在時刻とアラーム時刻とは一致しないので、アラーム時刻判定部１７は、検出信号を出力しない。ケース３では、現在時刻は、アラーム時刻に一致するので、アラーム時刻判定部１７は、検出信号Ａをアラーム制御部２０に出力する。
【００４２】
以上説明したように、本実施例の電子時計１は、現在時刻を計時する計時部１３と、使用者が入力するための操作部１４と、操作部１４から入力された差分時間を記憶する差分時間記憶部１５と、差分時間を現在時刻に加算することによりオフセット時刻を算出するオフセット時刻算出部１６と、オフセット時刻を表示する時刻表示部１９と、操作部１４から入力されたアラーム時刻を記憶するアラーム時刻記憶部１８と、アラームの出力を制御するアラーム制御部２０と、現在時刻がアラーム時刻と一致するか否かを判定する現在時刻判定モードを有し、現在時刻が前記アラーム時刻と一致する場合は、アラーム制御部２０に、アラームの出力を指示するアラーム時刻判定部１７と、を備えている。
【００４３】
この構成によれば、操作部から入力された差分時間を、現在時刻に加算して得られる時刻を、オフセット時刻として表示することにより、使用者が意図した差分時間だけ現在時刻からずれた時刻を表示することができる。更に、現在時刻がアラーム時刻と一致するか否かを判定し、一致する場合は、アラーム制御部に、アラームの出力を指示することにより、現在時刻がアラームを出力すべき時刻になったときに、アラームを出力することができる。
【００４４】
（第２実施例）
第２実施例では、更に、オフセット時刻がアラーム時刻と一致するか否かを判定するオフセット時刻判定モードを有する場合について説明する。
【００４５】
図５は、第２実施例における電子時計１ａの機能構成を示すブロック図である。図５のブロック図は、図１のブロック図に、オフセット時刻算出部１６からアラーム時刻判定部１７に出力されることを示す矢印を追加したものである。
【００４６】
図６は、第２実施例におけるアラーム時刻判定部１７が行う処理のフローチャートである。ステップＳ４５において、オフセット時刻算出部１６は、算出したオフセット時刻をアラーム時刻判定部１７に出力する。アラーム時刻判定部１７は、取得したオフセット時刻が、アラーム時刻と一致するか否かを判定するオフセット時刻判定モードを有する。オフセット時刻判定モードにおいて、アラーム時刻判定部１７は、一致した場合（Ｙｅｓ）は、アラーム制御部２０に検出信号Ｂを出力する（ステップＳ４６）。一致しない場合（Ｎｏ）は、処理を終了する。
【００４７】
図７は、アラーム時刻判定部１７が、現在時刻がアラーム時刻と一致するか否かを判定する現在時刻判定モードと、オフセット時刻がアラーム時刻と一致するか否かを判定するオフセット時刻判定モードとを切り換えるスイッチを備えた回路を示す図である。
【００４８】
使用者は、操作部１４から現在時刻判定モードとオフセット時刻判定モードのうち、少なくとも一つのモードを選択することができる。使用者によって操作部１４から入力されたモード切替信号が、モード切替スイッチＡ５０ａとモード切替スイッチＢ５０ｂのうち少なくとも一つに入力される。モード切替スイッチＡ５０ａにモード切替信号が入力されると、現在時刻判定モードが選択され、モード切替スイッチＢ５０ｂにモード切替信号が入力されると、オフセット時刻判定モードが選択される。
【００４９】
比較器５１は、図３のフローチャートを用いて説明した現在時刻とアラーム時刻が一致するか否かによって行う処理と、図６のフローチャートを用いて説明したオフセット時刻とアラーム時刻が一致するか否かによって行う処理と、を含んだ回路から構成される。
【００５０】
比較器５１は、現在時刻判定モードが選択されたとき、アラーム時刻記憶部１８に記憶されているアラームを出力しようとするアラーム時刻が、計時部１３によって計時された現在時刻と一致するか否かを判定する。比較器５１は、オフセット時刻判定モードが選択されたとき、アラーム時刻記憶部１８に記憶されているアラームを出力しようとするアラーム時刻が、オフセット時刻算出部１６によって算出されたオフセット時刻と一致するか否かを判定する。
【００５１】
比較器５１は、現在時刻判定モードが選択されているとき、アラーム時刻が、現在時刻と一致する場合は、検出信号Ａをアラーム制御部２０に出力し、オフセット時刻判定モードが選択されているとき、アラーム時刻が、オフセット時刻と一致する場合は、検出信号Ｂをアラーム制御部２０に出力する。
【００５２】
このように、第２実施例における電子時計１ａのアラーム時刻判定部１７は、第１実施例で説明した現在時刻判定モードを有し、更に、オフセット時刻がアラーム時刻と一致するか否かを判定するオフセット時刻判定モードを有する。オフセット時刻判定モードにおいて、オフセット時刻がアラーム時刻と一致する場合は、アラーム時刻判定部１７は、アラーム制御部２０に、検出信号Ｂを出力することによって、アラームの出力を指示する。
【００５３】
この構成によれば、アラーム時刻判定部１７が、オフセット時刻がアラーム時刻と一致するか否かを判定し、一致する場合は、アラーム制御部２０に、アラームの出力を指示することにより、使用者が意図した現在時刻からのずれ時間が確保され、使用者が意図したオフセット時刻にアラームを出力できる。
【００５４】
また、アラーム時刻判定部１７は、現在時刻がアラーム時刻と一致するか否かを判定する現在時刻判定モードと、オフセット時刻がアラーム時刻と一致するか否かを判定するオフセット時刻判定モードとを有し、操作部１４から入力された情報によって、アラーム時刻判定部１７は、現在時刻判定モードとオフセット時刻判定モードのうち、少なくとも一つのモードを選択する。
【００５５】
この構成によれば、現在時刻がアラーム時刻となった時刻または、オフセット時刻がアラーム時刻になった時刻のうち、少なくとも一つの時刻に、アラームを出力することができる。
【００５６】
図８（ａ）は、アラーム時刻判定部１７が現在時刻とアラーム時刻が一致したと判定したときに、アラーム制御部２０がアラーム出力部２１に検出信号Ａとして出力するパルス信号を示す。図８（ｂ）は、アラーム時刻判定部１７がオフセット時刻とアラーム時刻が一致したと判定したときに、アラーム制御部２０がアラーム出力部２１に検出信号Ｂとして出力するパルス信号を示す。
【００５７】
パルス信号がＯＮであるときは、アラームを出力し、ＯＦＦであるときはアラームの出力を停止する。図に示すＯＮの時間Ｔａは、ＯＮの時間Ｔｂより短い。
【００５８】
図８（ａ）に示すパルス信号は、ＯＮの時間Ｔａのパルスを一定間隔で繰り返しながら出力する。図８（ｂ）に示すパルス信号は、ＯＮの時間Ｔａのパルス及びＯＮの時間Ｔｂのパルスとの組み合わせたパルスを一定間隔で繰り返しながら出力する。また、図８（ａ）に示すＯＦＦの時間Ｔｃと、図８（ｂ）に示すＯＦＦの時間Ｔｄとは異なる。
【００５９】
このように、現在時刻判定モードにおけるアラームの出力形態と、オフセット時刻判定モードにおけるアラームの出力形態とは異なる。
【００６０】
この構成によれば、現在時刻がアラーム時刻となった時刻であるか、オフセット時刻がアラーム時刻になった時刻であるかを、使用者が区別して認識することができる。
【００６１】
本実施例では、アラーム出力部２１が出力するパルス信号のＯＮの時間またはＯＦＦの時間によって区別されることを説明したが、アラーム時刻となった時刻が、現在時刻であるか、オフセット時刻であるかを区別する方法は、アラーム出力部２１が出力するメロディの違いや、時計や携帯などの移動通信端末などを振動させるときの振動数の違いや、表示部に表示させるメッセージ、音声としてのメッセージの違いなどによる方法でもよい。
【００６２】
（第３実施例）
第３実施例では、外部から標準時刻を受信し、計時部が計時する現在時刻を補正する場合について説明する。
【００６３】
図９は、第３実施例における電波時計１ｂの機能構成を示すブロック図である。この電波時計１ｂは、第１実施例で説明した電子時計１の機能構成に、アンテナ１０、受信部としてのＣＤＭＡ受信部１１と、現在時刻補正部１２とを追加して備えたものである。
【００６４】
ＣＤＭＡ受信部１１は、世界協定時（ＵＴＣ）に同期した標準時刻を示す時刻情報を含み、移動通信を目的としてＣＤＭＡ（Ｃｏｄｅ  Ｄｉｖｉｓｉｏｎ  Ｍｕｌｔｉｐｌｅ  Ａｃｃｅｓｓ）変調され、基地局から送信される極超短波帯域の通信電波を、制御部２２からの指示に応じてアンテナ１０で受信し、受信した電波から時刻データを取り出して現在時刻補正部１２に出力する。本実施例では、このＣＤＭＡ受信部１１は、受信された電波の高周波信号をベースバンド信号に変換すると共に、ＡＤ変換してデジタル信号に変換し、位相が直交する２つのデジタル信号（Ｉ信号、Ｑ信号）に対してシンクチャンネル信号を復調し、復調したシンクチャンネル信号を復号することで、時刻データを含むシンクチャンネル信号のデータを取得する。このシンクチャンネル信号のデータは、所定のデータ長を持ち、時刻情報は所定の領域に格納されているため、データの先頭から辿ることで、時刻データを容易に抽出できる。
【００６５】
現在時刻補正部１２は、ＣＤＭＡ受信部１１から時刻データを標準時刻として取得し、制御部２２からの指示を得て、取得した標準時刻と、計時部１３によって計時される現在時刻とが一致するように、計時部１３が計時する現在時刻を補正する。
【００６６】
次に、電波時計１ｂが、外部から受信した標準時刻によって現在時刻を補正し、アラームを出力するまでの処理について説明する。
【００６７】
本実施例では、使用者が意図した標準時刻からのずれ時間である差分時間は、５分であるとし、差分時間記憶部１５に記憶されているものとする。また、使用者が意図したアラームを出力させようとするアラーム時刻は、１２時３０分であるとし、アラーム時刻記憶部１８に記憶されているものとする。
【００６８】
尚、第１実施例で説明したように、差分時間の符号がプラスであるときは、オフセット時刻は標準時刻より進んでいることを示し、差分時間の符号がマイナスであるときは、オフセット時刻は標準時刻より遅れていることを示す。
【００６９】
図１０は、第３実施例における標準時刻によって現在時刻を補正し、オフセット時刻を表示するまでの処理について説明する図である。図１０は、第１実施例で参照した図２にのフローチャートに、ステップＳ３０とステップＳ３１を追加したものである。
【００７０】
図１０に記載されたフローチャートに従って、図９のブロック図を参照しながら処理の流れを説明する。図１０の図面上向きの矢印は、前のステップにおける時刻と同じであることを示す。処理を開始する前において、計時部１３が計時する現在時刻は１２時００分である。オフセット時刻算出部１６が算出したオフセット時刻は、差分時間が５分であるので、１２時０５分となる。時刻表示部１９に表示される表示時刻は、オフセット時刻が表示されるので、１２時０５分となる。
【００７１】
ステップＳ３０では、ＣＤＭＡ受信部１１は、アンテナ１０を通じて、標準時刻である１２時１３分を取得する。このとき、計時部１３が計時するときの精度誤差があるため、計時部１３によって計時された現在時刻は、１２時１０分であるものとする。尚、計時部１３が精度の良い発振部を備え、計時するときの精度誤差を最小にすれば標準時刻と現在時刻との時間差を最小にすることができるが、説明を容易にするため、この時点における標準時刻と現在時刻との時間差が３分生じているものとする。また、この時点におけるオフセット時刻と表示時刻は、差分時間が５分であるので、１２時１５分である。
【００７２】
ステップＳ３１では、計時部１３が計時する現在時刻を補正する。標準時刻は１２時１３分であるので、現在時刻補正部１２によって、現在時刻が標準時刻と一致する１２時１３分に補正される。
【００７３】
ステップＳ３２では、オフセット時刻算出部１６は、オフセット時刻を算出する。現在時刻１２時１３分に、差分時間５分を加算することによって、オフセット時刻１２時１８分を得る。
【００７４】
ステップＳ３３では、時刻表示部１９は、オフセット時刻算出部１６が算出したオフセット時刻１２時１８分を表示する。
【００７５】
第１実施例において、図３と図４を用いて説明したように、第３実施例においても、現在時刻がアラームを出力しようとするアラーム時刻と一致するか否かを判定し、一致する場合は、検出信号Ａをアラーム制御部２０に出力する。
【００７６】
以上第３実施例で説明したように、電波時計１ｂは、標準時刻を示す時刻情報を含み、ＣＤＭＡ方式の通信方式により符号化された信号を受信して復元することにより、時刻情報を取得するＣＤＭＡ受信部１１と、時刻情報に基づき、現在時刻を標準時刻に一致させて補正する現在時刻補正部１２と、を備えている。
【００７７】
この構成によれば、ＣＤＭＡ方式によって送信する基地局からの電波から、標準時刻情報を示す時刻情報を受信できるので、標準時刻との一致精度が高い現在時刻を計時することができる。これにより、現在時刻判定モードにおいて、アラームを出力する時刻は、標準時刻との一致精度が高くなる。更に、基地局が広い範囲に多く設置されており、受信できる機会が増えるので、現在時刻を補正する機会も多くなり、電波時計や移動通信端末の移動範囲が広くなっても、標準時刻に一致する精度の高い現在時刻を計時することができる。
【００７８】
（第４実施例）
第４実施例では、第３実施例で説明した電波時計１ｂに、更に、現在時刻がアラーム時刻と一致するか否かを判定する現在時刻判定モードと、オフセット時刻がアラーム時刻と一致するか否かを判定するオフセット時刻判定モードとを備えた場合について説明する。
【００７９】
図１１は、第４実施例における電波時計１ｃの機能構成を示すブロック図である。図１１のブロック図は、図９の機能構成を示すブロック図に、オフセット時刻算出部１６からアラーム時刻判定部１７に出力されることを示す矢印を追加したものである。
【００８０】
第２実施例で、図６と図７を用いて説明したように、第４実施例においても、アラーム時刻判定部１７は、現在時刻がアラーム時刻と一致するか否かを判定する現在時刻判定モードと、オフセット時刻がアラーム時刻と一致するか否かを判定するオフセット時刻判定モードとを備え、操作部１４から入力された情報によって、アラーム時刻判定部１７は、現在時刻判定モードとオフセット時刻判定モードのうち、少なくとも一つのモードを選択することができる。
【００８１】
この構成によれば、現在時刻補正部１２が、ＣＤＭＡ受信部１１によって取得した、標準時刻を示す時刻情報に基づき、計時部１３によって計時された現在時刻を標準時刻に一致させることにより、標準時刻と一致精度が高い現在時刻を計時することができる。これにより、現在時刻判定モードにおいて、アラームが出力される時刻は、標準時刻との一致精度が高くなる。
【００８２】
更に、オフセット時刻判定モードにおいて、アラーム時刻判定部１７が、オフセット時刻がアラーム時刻と一致するか否かを判定し、一致する場合は、アラーム制御部２０に、アラームの出力を指示することにより、使用者が意図した標準時刻からのずれ時間である差分時間が確保され、使用者が意図したずれた時刻にアラームを出力できる。
【００８３】
第１実施例と第２実施例で説明した実施例は、時計機能を組み込んだ、携帯電話などの移動通信端末、情報処理端末にも適用可能である。
【００８４】
第３実施例と第４実施例で説明した実施例は、電波により時刻を補正する時計機能を組み込んだ、携帯電話などの移動通信端末、情報処理端末にも適用可能である。
【００８５】
また、以上説明した実施例は、時差のある二つの国におけるそれぞれの標準時刻にアラームを出力させることができる。例えば、時差を差分時間として差分時間記憶部に記憶させ、一方の国の標準時刻を現在時刻として計時部によって計時するようにし、差分時間を加算したオフセット時刻を他方の国の標準時刻として表示させるようにする。
【００８６】
このようにすれば、現在時刻すなわち一方の国の標準時刻がアラーム時刻になったときに、アラームを出力することができる。あるいは、オフセット時刻すなわち他方の国の標準時刻がアラーム時刻になったときに、アラームを出力することができる。このような使い方は、一つの国において、国土が広いため地域によって時差を設けている場合にも適用可能である。
【００８７】
また、欧米諸国で実施されているサマータイム制度にも適用可能である。例えば、標準時刻とサマータイム時刻との時間差を差分時間として差分時間記憶部に記憶させ、標準時刻を現在時刻として計時部によって計時するようにし、差分時間を加算したオフセット時刻をサマータイム時刻として表示させるようにする。
【００８８】
このようにすれば、標準時刻がアラーム時刻になったときに、アラームを出力することができる。あるいは、オフセット時刻すなわちサマータイム時刻がアラーム時刻になったときに、アラームを出力することができる。
【図面の簡単な説明】
【００８９】
【図１】第１実施例における電子時計の機能構成を示すブロック図。
【図２】第１実施例において、オフセット時刻を表示するまでの処理について説明する図。
【図３】アラーム時刻判定部が処理するフローチャート。
【図４】アラーム時刻判定部が出力する検出信号の有無について、現在時刻の各ケースについて説明する図。
【図５】第２実施例における電子時計の機能構成を示すブロック図。
【図６】第２実施例におけるアラーム時刻判定部が行う処理のフローチャート。
【図７】現在時刻判定モードと、オフセット時刻判定モードとを切り換えるスイッチを備えた回路を示す図。
【図８】（ａ）は、現在時刻とアラーム時刻が一致したと判定したときに、出力するパルス信号を示す。図８（ｂ）は、オフセット時刻とアラーム時刻が一致したと判定したときに、出力するパルス信号を示す。
【図９】第３実施例における電波時計の機能構成を示すブロック図。
【図１０】第３実施例における標準時刻によって現在時刻を補正し、オフセット時刻を表示するまでの処理について説明する図。
【図１１】第４実施例における電波時計の機能構成を示すブロック図。
【符号の説明】
【００９０】
１，１ａ…電子時計、１ｂ，１ｃ…電波時計、１１…ＣＤＭＡ受信部、１２…現在時刻補正部、１３…計時部、１４…操作部、１５…差分時間記憶部、１６…オフセット時刻算出部、１７…アラーム時刻判定部、１８…アラーム時刻記憶部、１９…時刻表示部、２０…アラーム制御部、２１…アラーム出力部、２２…制御部。
【図１】
2009063338.tif 000003
【図２】
2009063338.tif 000004
【図３】
2009063338.tif 000005
【図４】
2009063338.tif 000006
【図５】
2009063338.tif 000007
【図６】
2009063338.tif 000008
【図７】
2009063338.tif 000009
【図８】
2009063338.tif 000010
【図９】
2009063338.tif 000011
【図１０】
2009063338.tif 000012
【図１１】
2009063338.tif 000013